(57)【要約】【課題】  デジタル撮影システムを構築する場合に、業務効率向上のため、撮影用のアプリケーションをできるだけ意識しない撮影システムを提供することを目的としたものである。【解決手段】  撮影装置に対応した入力手段と、撮影装置に対応した画像処理を施す画像処理手段の実行情報を管理する入力画像処理管理手段とを有する。【選択図】        図１
2006074674.tif 000002
【特許請求の範囲】
【請求項１】
編集や印刷に用いるデジタル画像を生成するための撮影システムであって、
撮影手段によって撮影されたデジタル画像を撮影システムに取り込む撮影装置に対応した入力手段と、
前記入力手段によって取り込まれたデジタル画像を記憶する記憶手段と、
前記記憶手段に記憶されたデジタル画像を管理する画像管理手段と、
前記記憶手段に記憶され画像管理手段に管理されているデジタル画像に対し、撮影装置に対応した画像処理を施す画像処理手段と、
前記入力手段、及び前記画像処理手段の実行情報を管理する入力画像処理管理手段と、
を有することを特徴とする撮影システム。
【請求項２】
請求項１に記載の撮影システムはさらに、請求項１に記載の入力画像処理管理手段が管理する情報をグループ化し、グループ化した複数の入力画像処理グループを管理する入力画像処理グループ管理手段と、
を有することを特徴とする撮影システム。
【請求項３】
編集や印刷に用いるデジタル画像を生成するための撮影プログラムであって、
撮影手段によって撮影されたデジタル画像を撮影システムに取り込む撮影装置に対応した入力ステップと、
前記入力ステップによって取り込まれたデジタル画像を記憶する記憶ステップと、
前記記憶ステップに記憶されたデジタル画像を管理する画像管理ステップと、
前記記憶ステップに記憶され画像管理ステップに管理されているデジタル画像に対し、撮影装置に対応した画像処理を施す画像処理ステップと、
前記入力ステップ、及び前記画像処理ステップの実行情報を管理する入力画像処理管理ステップと、
を有することを特徴とする撮影プログラム。
【請求項４】
請求項３に記載の撮影プログラムはさらに、請求項３に記載の入力画像処理管理ステップが管理する情報をグループ化し、グループ化した複数の入力画像処理グループを管理する入力画像処理グループ管理ステップと、
を有することを特徴とする撮影プログラム。
【発明の詳細な説明】
【技術分野】
【０００１】
本発明は、営業写真館等でデジタル撮影を行うための、デジタル撮影システムおよび撮影プログラムに関する。
【背景技術】
【０００２】
今日、高画素デジタルカメラ、写真画質インクジェットプリンタの登場により、写真撮影からプリントまでのワークフローを、フルデジタル処理することが可能となっている。従来アナログ処理を行っていた営業写真館等では、デジタルワークフローを導入することで、ラボ店に依頼していた現像、リタッチ、プリント作業の内製化を行い、納期短縮、消耗品のコスト削減を行いたいと考えている店舗が多くなっている。
【０００３】
このような背景の中、従来のアナログワークフローに対し、いかに効率的な、利益のでるデジタルワークフローを構築するかが大きな課題となっている。フルデジタル化による内製化は、一見メリットのように見えが、カラーマネージメントを理解したデジタル処理を行うことのできる人材の育成、デジタルシステムの管理に伴うシステムメンテナンス費用など、アナログワークフロー時代にはかからなかった人件費、システム維持費の発生という問題点が発生するため、業務全体としてアナログ処理よりも利益がでるかどうかが明確でないことに起因する。内製化は、業務が増加することを意味し、忙しい日常業務の中では、デジタル機器を時間をかけ操作してゆくことは、大きな作業負担となることも原因である。このように、投資効果の判断が難しい状況であるため、デジタル化に踏み切れない店舗が多い。
【０００４】
一方、撮影装置そのものに目をむけると、メーカー各社は徐々に製品系列を充実させ、通常業務使用にも耐えられる、値段も格段に安くなった１眼レフデジタルカメラも発売されてきている。デジタルカメラ製品の充実により、営業写真館等では、バックアップ用も含め、数種類のデジタルカメラを揃える場合が多い。被写体によっても使用されるデジタルカメラは異なる場合があり、成人式、七五三などの型物写真では、ハイスペックのものを、スナップ用は女性でも気軽に手持ちで撮影できるミッドレンジからエントリーレベルのものを使い分けるなど、数々のデジタルカメラが混在して利用される。
【０００５】
このように、数々のデジタルカメラを利用する場合、ＰＣ上でデジタルカメラの画像をリモートキャプチャーするアプリケーションプログラム、あるいは撮影した生のＣＣＤ撮影データ、即ちＲＡＷ画像を現像処理するアプリケーションプログラムは、デジタルカメラメーカーが固有に提供しているものであり、デジタルカメラメーカー毎に異なっている。メーカー意外のサードパーティーアプリケーションでは複数機種のカメラをサポートしているものもあるが、中判カメラ向けデジタルカメラバック用とデジタル一眼レフ用といった製品レンジ毎に製品が異なったりする。
【０００６】
このため、ＰＣ上では、それぞれのカメラを意識しながら、撮影のためのキャプチャーアプリケーションを起動し、さらに、入力されたＲＡＷ画像データに対応した現像アプリケーションを起動して処理を行っていた。
【０００７】
このため、複数機種のデジタルカメラを用いる場合は、操作が煩雑になる傾向があった。オペレーティングシステム上のファイル関連付け機能により、ＲＡＷ画像データに対応した現像アプリケーションが関連付けられている場合は、ファイルをダブルクリックなどの操作で該現像アプリケーションを開くことができる。オペレーティングシステム上のファイル関連付け機能は、ファイルの拡張子と、該拡張子を付けられたファイルを開くことが可能なアプリケーションとの対応を、オペレーティングシステム上で記録し、所望のファイルを開こうとした場合に、自動的に上記対応付けられたアプリケーションを起動するものである。
【０００８】
しかし、オペレーティングシステム上のファイル関連付け機能はアプリケーションインストール時のタイミングなどに、アプリケーション側で任意に行われるもので、新しいアプリケーションにより上書き設定される場合もあり、必ずしも有効な手段とはいえなかった。また、オペレーティングシステム上でのファイル関連付け機能を改善する目的のため、ファイル関連付け履歴を用意し、アプリケーションがアンインストールされた場合の対処や、同じ拡張子をもつファイルに複数のアプリケーションが関連付けされた場合を想定し、該拡張子を具備するファイルを開くことが可能なアプリケーションソフトウェアを複数記録できるものが開示されている（例えば、特許文献１参照。）。
【特許文献１】特開２００３−１９６０９９号公報（第４項、第７項）
【発明の開示】
【発明が解決しようとする課題】
【０００９】
上記、背景技術に記載したように、デジタルカメラで撮影を行い画像データとして利用するためには、カメラ毎、あるいはメーカー毎に提供されるキャプチャープログラム、現像プログラム、あるいはキャプチャー機能と現像機能を包含するような撮影用プログラムを、その都度カメラ機種に注意しながら起動し、撮影を行う必要があった。
【００１０】
このため、同じ写真館内で撮影者毎に異なるデジタルカメラを用いる場合、あるいはスタジオ毎に異なるデジタルカメラを用いる場合などは、さらにいくつものカメラ機種を注意して起動し、撮影、現像処理をする必要があり、効率的な業務フローを妨げる要因となっていた。
【００１１】
オペレーティングシステム組み込みのアプリケーション関連付け機能を利用した場合、同一の拡張子に対しては一つのアプリケーションしか関連付けることができない。
【００１２】
このため例えば現像アプリケーションにいくつかの選択肢がある場合には利用できる機能ではなかった。
【００１３】
さらに、アプリケーションとファイルとの関連付け履歴を用いた場合も、やはり動作上関連付けられるアプリケーションは一つであり、他のアプリケーションを起動したい場合は、アプリケーションを別途選択する必要があった。
【００１４】
オペレーティングシステム組み込みの関連付け機能、及び関連付けの履歴を用いた場合はともに、汎用的なファイル利用ためになされたものであり、同一の撮影データ（ＲＡＷ画像）を現像するための現像アプリケーションに複数の選択肢がある場合を想定していなかったためである。
【００１５】
本発明は、上記の問題を鑑みてなされたもので、営業写真館等でデジタル撮影システムを構築する場合に、業務効率向上のため、撮影及び撮影データ生成用のアプリケーションをできるだけ意識しない撮影システムおよび撮影プログラムを提供することを目的としたものである。
【課題を解決するための手段】
【００１６】
本発明は、上記の目的を達成するため、請求項１に記載の第一の発明は、撮影手段によって撮影されたデジタル画像を撮影システムに取り込む撮影装置に対応した入力手段と、前記入力手段によって取り込まれたデジタル画像を記憶する記憶手段と、前記記憶手段に記憶されたデジタル画像を管理する画像管理手段と、前記記憶手段に記憶され画像管理手段に管理されているデジタル画像に対し、撮影装置に対応した画像処理を施す画像処理手段と、前記入力手段、及び前記画像処理手段の実行情報を管理する入力画像処理管理手段とを有することを特徴とする。
【００１７】
請求項２に記載の第二の発明では、第一の発明に記載の入力画像処理管理手段が管理する情報をグループ化し、グループ化した複数の入力画像処理グループを管理する入力画像処理グループ管理手段とを有することを特徴とする。
【００１８】
請求項３に記載の第三の発明では、撮影手段によって撮影されたデジタル画像を撮影システムに取り込む撮影装置に対応した入力ステップと、前記入力ステップによって取り込まれたデジタル画像を記憶する記憶ステップと、前記記憶ステップに記憶されたデジタル画像を管理する画像管理ステップと、前記記憶ステップに記憶され画像管理ステップに管理されているデジタル画像に対し、撮影装置に対応した画像処理を施す画像処理ステップと、前記入力ステップ、及び前記画像処理ステップの実行情報を管理する入力画像処理管理ステップと有することを特徴とする。
【００１９】
請求項４に記載の第四の発明では、第三の発明に記載の入力画像処理管理ステップが管理する情報をグループ化し、グループ化した複数の入力画像処理グループを管理する入力画像処理グループ管理ステップと有することを特徴とする。
【発明の効果】
【００２０】
本発明の撮影システムによれば、撮影者毎やスタジオ毎、撮影者の好みによって、統一環境のもと、撮影及び現像処理プログラムを自由に設定できるので、効率のよい撮影デジタルワークフローを提供できる。
【発明を実施するための最良の形態】
【００２１】
以下、本発明の実施の形態について図面を参照して説明する。
【実施例】
【００２２】
図１は、本発明の撮影システムの概略構成を示すブロック図である。同図において、符号１０１は、デジタルカメラ等を示す撮影手段であり、１．．．ＮはＮ台の機材であることを示す。Ｎ台の機材は、異なる機種であってもよいし、同一の機種であってもよい。符号１０２は、撮影手段によって取り込まれたデジタル画像データを、ホストＰＣ上に取り込むための入力手段であり、ホスト側から撮影手段を操作可能なキャプチャープログラムであったり、撮影手段で保存し、ホストＰＣ上で取り込み可能なリムーバブルメディアであったりする。符号１０３は、入力手段１０２によって取り込まれたデジタル画像に対し、撮影手段１０１によって取り込まれた画像データに固有の処理を施す画像処理手段である。画像処理手段１０３の処理として、具体的にはＣＣＤの生データ（ＲＡＷ画像データ）を現像する現像処理がある。撮影手段１０１においては、汎用のファイルフォーマット、例えばＪＰＥＧでデータを出力することも可能であるが、ＲＡＷ画像データを出力する機能も有する。ＲＡＷ画像データには、ＣＣＤに記録されている生データのほか、撮影手段１０１で設定した撮影時のパラメータも同時に記録されている。汎用のファイルフォーマットで出力した画像データの場合、撮影手段１０１内で、撮影時に設定されたパラメータに基づき、既に数々の画像処理が施されており、既にオリジナルの撮影データの情報が失われている。ＲＡＷ画像データの現像処理は、より撮影者の意図に沿った画像処理を行うことが可能であり、ＲＡＷ画像データの情報をもとに、ホストＰＣ側で行う処理、即ちデジタル現像処理を行うことで、高画質な画像データを生成するものである。ＲＡＷ画像データに付加されている撮影時のパラメータは利用することも可能であるし、好みや意図にあったようにさらに細かく調整することも可能である。符号１０４の入力画像処理管理手段は、入力手段１０２、入力手段１０２によって撮影された図示していないＲＡＷ画像データ、及び画像処理手段１０３との関連付けを行い、入力手段Ｎによって取り込まれた画像データに対しては、画像処理手段Ｎを実行することを管理するものである。符号１０５の入力画像処理グループ管理手段は、入力画像処理管理手段１０４によって管理されている入力手段１０２、入力手段１０２によって撮影されたＲＡＷ画像データ、及び画像処理手段１０３の管理情報を、複数のグループとしてさらに管理するものである。例えば、グループ１｛入力画像処理１＝｛入力手段１、画像処理手段１｝、入力画像処理２＝｛入力手段２、画像処理手段２｝｝、グループ２｛入力画像処理１＝｛入力手段１、画像処理手段１｝、入力画像処理３＝｛入力手段３、画像処理手段３｝｝というような管理を行う。グループ１、グループ２には、｛入力画像処理１｝のように、共通の入力画像処理情報を含めることも可能である。符号１０６の画像管理手段は、入力手段１０２によって入力された画像を、撮影毎のディレクトリ以下に保存し、撮影画像をグループ管理する画像管理手段である。符号１０７の記憶手段は、画像管理手段１０６が管理する画像を記憶する記憶手段である。
【００２３】
図２は、本発明の撮影システムを実現するハードウェア構成を示すブロック図である。
【００２４】
同図において、符号２０１は、演算及び制御用の中央演算処理部（ＣＰＵ）である。符号２０２は、撮影画像入力、撮影画像処理、入力画像処理管理、画像管理を行うプログラムが格納されたＲＯＭである。符号２０３は、撮影画像入力、撮影画像処理、入力画像処理管理、画像管理プログラムが実行される場合に、プログラムがロードされる実行領域、及びプログラムの作業領域が確保されるＲＡＭである。符号２０４は、オペレーターが操作やデータ入力を行うためのキーを有するキーボードである。符号２０５は、ディスプレイ２０６に表示された指示アイコンをクリックしたり、カーソルを移動して操作の指示を行うマウスなどのポィンティングデバイスである。符号２０７は、画像データ、プログラム、あるいは印刷用のスプールデータを格納する記憶装置（ハードディスク（ＨＤ））である。ディスプレイ２０６はタッチパネルでもよい。符号２０８は、外部画像処理装置とのデータ交換や、画像データ及びプログラムが格納される、フロッピィー（登録商標）ディスクや光磁気ディスク（ＭＯ）などのリムーバブルメディアである。符号２０９は印刷装置（プリンタ）であり、符号２１０は、デジタルカメラを示す撮影デバイスである。符号２１１は、ＬＡＮ等のネットワークＩ／Ｆ、符号２１２は、無線ＬＡＮ等の無線ネットワークＩ／Ｆ、符号２１３は撮影システム内の各デバイスを相互に接続するバスである。符号２１４は、無線ネットワークＩ／Ｆ２１２経由で撮影デバイスからのデータを、無線ネットワークＩ／Ｆへ送信する無線入力デバイスである。無線ネットワークＩ／Ｆ２１２によって取り込まれた画像データは、撮影デバイス２１０からの取り込まれた画像データと同様に処理される。
【００２５】
なお、図１における入力手段１０２、画像処理手段１０３、入力画像処理管理手段１０４、入力画像処理グループ管理手段１０５、画像管理手段１０６は、記憶手段１０７は、ＣＰＵ２０１、ＲＡＭ２０３、ＨＤ２０７、ディスプレイ２０６、リムーバブルメディア２０８により構成される。
【００２６】
図３は、図１、図２に示した画像システムが適用される場合の、システム構成例を示したものである。符号３０１のスタジオ１には、符号３０２の撮影用ＰＣ１がおかれ、符号３０３のスタジオ２には、符号３０４の撮影用ＰＣ２がおかれ、撮影用ＰＣ１（３０２）、撮影用ＰＣ２（３０４）は、ネットワーク（３０５）を経由して、データ処理用ＰＣ（３０６）に接続されている。撮影用ＰＣ１（３０２）、撮影用ＰＣ２（３０４）で撮影された撮影画像データは、ネットワーク（３０５）を経由して、データ処理用ＰＣ（３０６）の図示をしていない記憶装置に、撮影画像データ（３０７）として、保存される。なお、符号３０８、符号３０９、符号３１０の撮影管理プログラムは、図４に示すように、図１における、符号１０４の入力画像処理管理手段、符号１０５の入力画像処理グループ管理手段、符号１０６の画像管理手段をまとめて表示しているものである。また、符号３１１の入力プログラム１、符号３１２の入力プログラム２、符号３１３の入力プログラム３、符号３１４の入力プログラム４は、符号１０２の入力手段１０２であり、符号３１５の画像処理プログラム１、符号３１６の画像処理プログラム２、符号３１７の画像処理プログラム３、符号３１８の画像処理プログラム４は、符号１０３の画像処理手段を示している。データ処理用ＰＣ（３０６）に記憶されている、撮影画像データ３０７、画像処理手段１０３によって処理された現像済画像データ３１９、撮影画像データの付加情報である後述する画像管理データ３２０、入力画像処理管理手段１０４及び入力画像処理グループ管理手段１０５によって管理されている後述する入力画像処理設定管理データ３２１は、撮影用ＰＣ１（３０２）、撮影用ＰＣ２（３０４）においても、共有されているデータである。
【００２７】
図５は、図４に示した撮影画像画像管理プログラムによって表示されるユーザーインターフェースの例を示したものである。符号５０１の［デジタルカメラ１］ボタン、符号５０２の［デジタルカメラ２］ボタンは、入力手段１０２に設定された入力プログラムを起動する。撮影された画像は、符号５０５内のリストにサムネール表示される。符号５０５内のサムネールを選択し、符号５０３［現像］ボタンを実行すると、画像処理手段１０３にて管理されている現像プログラムが起動される。現像プログラムによって撮影データが現像されると、符号５０４のようにサムネール情報が「現像済み」と表示される。撮影ボタン５０１および５０２、撮影データに依存した動作を行う現像ボタン５０３は、入力画像処理管理手段１０４にて管理されているものである。符号５０６のリストボックスの選択は、入力画像処理グループ管理手段１０５によって管理されているもので、図５においては、「撮影者１セッティング」＝「デジタルカメラ１」（５０１）「デジタルカメラ２」（５０２）となっているが、その他の例として、「撮影者２セッティング」＝「デジタルカメラ３」（５０１）「デジタルカメラ３」（５０２）という設定も可能である。
【００２８】
次に、図６は、記憶装置（ハードディスク）２０７に記憶される入力画像処理設定管理データ３２１の詳細を示したものである。符号６０１は、入力画像処理設定管理データ３２１がテキストデータのファイルとして記述されていることを示している。符号６０１内では、入力画像処理グループ管理手段１０５によって、［ｇｒｏｕｐｓ］情報として、撮影者１セッティング、撮影者２セッティングが設定され、［撮影者１セッティング］には、２つの入力デバイス、ｄｅｖｉｃｅ０、ｄｅｖｉｃｅ１  が設定されている。［撮影者２セッティング］には、２つの入力デバイス、ｄｅｖｉｃｅ０、ｄｅｖｉｃｅ２  が設定されている。［ｄｅｖｉｃｅ０］の表示名称は、ｄｅｖｉｃｅ＿ｎａｍｅ＝デジタルカメラ１と設定され、入力手段１０２に対応したプログラムの起動は、ｃａｐｔｕｒｅ＿ｓｃｒｉｐｔ＝ｃ：￥ｃａｐｔｕｒｅ０．ｅｘｅ  ％ｄｉｒｅｃｔｏｒｙ  として設定されている。ここで、ｃ：￥ｃａｐｔｕｒｅ０．ｅｘｅ  は、プログラムの実行パスであり、％ｄｉｒｅｃｔｏｒｙ  は、引数として、画像管理手段１０６によって管理されている撮影毎のディレクトリ情報が引き渡されることを示す。画像処理手段１０３に対応したプログラムの起動は、ｄｅｖｅｌｏｐ＿ｓｃｒｉｐｔ＝ｃ：￥ｄｅｖｅｌｏｐ０．ｅｘｅ  ％ｉｍａｇｅ  として設定されている。ｃ：￥ｄｅｖｅｌｏｐ０．ｅｘｅ  は、プログラムの実行パスであり、％ｉｍａｇｅｓ  は引き数として、処理を行うファイル群を渡すことを示している。［ｄｅｖｉｃｅ１］及び［ｄｅｖｉｃｄ２］においても、［ｄｅｖｉｃｅ０］と同様に設定がなされる。
【００２９】
図７は、記憶装置２０７に記憶される画像管理データ３２０の詳細を示したものである。符号７０１は、入力手段１０２によって入力された撮影データファイル（ＲＡＷ画像）を示す。符号７０２は、画像管理手段１０６が図６に示した入力画像処理設定管理データを参照することにより生成する画像管理データファイル３２０であり、符号７０３に詳細情報を示している。符号７０３内では、ｄｅｖｉｃｅ＝ｄｅｖｉｃｅ０  で撮影され、この画像管理データが管理する撮影データは、ｒａｗ＿ｆｉｌｅ＝ｉｍａｇｅ１．ｒａｗ  ファイルであることを示す。符号７０４は、画像処理手段１０３によって現像された画像ファイルであり、このとき符号７０５のように、ｄｅｖｅｌｏｐｅｄ＿ｆｉｌｅ＝ｉｍａｇｅ１．ｔｉｆｆ  として管理される。即ち、ｉｍａｇｅ１．ｔｉｆｆ  現像済ファイルの元データは、画像管理データ３２０（符号７０５）により、ｉｍａｇｅ１．ｒａｗ  ファイルであることが管理され、現像済となった画像５０４から、元のＲＡＷ画像データを参照し、再度［現像］５０３を容易に実行することが可能ともなる。
【００３０】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００３１】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００３２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００３３】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００３４】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【図面の簡単な説明】
【００３５】
【図１】本発明の撮影システムを適用した概略構成を示すブロック図
【図２】本発明の撮影システムを実現するハードウェア構成を示すブロック図
【図３】本発明の撮影システムが適用されるシステム構成例の図
【図４】図３の撮影管理プログラムの内部ブロック図
【図５】図４の撮影管理プログラムによって表示されるユーザーインターフェースの例を示す図
【図６】図３に示した入力画像処理設定管理データ３２１の詳細を示す図
【図７】図３に示した画像管理データ３２０の詳細の詳細を示す図
【符号の説明】
【００３６】
１０１  撮影手段
１０２  入力手段
１０３  画像処理手段
１０４  入力画像処理管理手段
１０５  入力画像処理グループ管理手段
１０６  画像管理手段
１０７  記憶手段
２０１  ＣＰＵ
２０２  ＲＯＭ
２０３  ＲＡＭ
２０４  キーボード
２０５  ポィンティングデバイス
２０７  ハードディスク（ＨＤ、記憶装置）
２１０  撮影デバイス
【図１】
2006074674.tif 000003
【図２】
2006074674.tif 000004
【図３】
2006074674.tif 000005
【図４】
2006074674.tif 000006
【図５】
2006074674.tif 000007
【図６】
2006074674.tif 000008
【図７】
2006074674.tif 000009